(57)【要約】  空気の湿度を制御する湿度制御部（１００）と、一または複数の軸と、前記一または複数の軸の少なくとも一部を取り囲む外壁とを有する取込冷却分離部（２００）を含み、前記取込冷却分離部は前記湿度が制御された空気を取り込む気流を発生させ、これにより、前記取込冷却分離部は前記湿度が制御された空気を取り込み、前記取込冷却分離部は前記取り込んだ空気を前記一または複数の軸に含まれる第１軸の周りに旋回させ、これにより、前記取込冷却分離部は前記取り込んだ空気の前記第１軸側の空気と前記取り込んだ空気の前記外壁側の空気との間に圧力差を生じさせ、前記圧力差によって、前記取り込んだ空気の少なくとも一部が冷却され、前記取込冷却分離部は、前記冷却された空気から生じた水滴を遠心分離し、前記気流の発生、前記旋回の発生及び前記遠心分離を行うため前記一または複数の軸を回転させる、空気清浄装置（１）。
2020121703.tif 000002
【特許請求の範囲】
【請求項１】
空気の湿度を制御する湿度制御部と、
一または複数の軸と、前記一または複数の軸の少なくとも一部を取り囲む外壁とを有する取込冷却分離部を含み、
前記取込冷却分離部は前記湿度が制御された空気を取り込む気流を発生させ、これにより、前記取込冷却分離部は前記湿度が制御された空気を取り込み、
前記取込冷却分離部は前記取り込んだ空気を前記一または複数の軸に含まれる第１軸の周りに旋回させ、これにより、前記取込冷却分離部は前記取り込んだ空気の前記第１軸側の空気と前記取り込んだ空気の前記外壁側の空気との間に圧力差を生じさせ、前記圧力差によって、前記取り込んだ空気の少なくとも一部が冷却され、
前記取込冷却分離部は、前記冷却された空気から生じた水滴を遠心分離し、
前記気流の発生、前記旋回の発生及び前記遠心分離を行うため前記一または複数の軸を回転させる、
空気清浄装置。
【請求項２】
前記湿度制御部は、
所定のガスを検出するガスセンサと、
空気の温度及び湿度を検出する温湿度センサと、
前記ガスセンサの検出結果と前記温湿度センサの検出結果とに基づいて前記空気を加湿する加湿器とを有する、
請求項１に記載の空気清浄装置。
【請求項３】
前記外壁には、前記遠心分離された水滴を外部に排出するための排出孔が設けられている、
請求項１又は請求項２に記載の空気清浄装置。
【請求項４】
前記一または複数の軸は前記第１軸であり、
前記取込冷却分離部は、プロペラファンとブレードファンを含み、
前記プロペラファンは、前記第１軸に取り付けられ、前記第１軸が回転すると回転し、
前記ブレードファンは、前記第１軸に取り付けられ、前記第１軸が回転すると回転し、
前記プロペラファンの回転は前記気流を発生させ、
前記ブレードファンの回転は前記旋回を発生させる、
請求項１から請求項３のいずれか１項に記載の空気清浄装置。
【請求項５】
前記一または複数の軸は前記第１軸、第２軸、第３軸を含み、
前記取込冷却分離部は、
前記第２軸を含み、かつ、前記気流を発生させる取込部と、
前記第１軸を含み、かつ、前記旋回を発生させる冷却部と、
前記第３軸を含み、かつ、前記遠心分離を行う分離部を含み、
前記気流を発生させるため前記第２軸を回転させ、前記旋回を発生させるため前記第１軸を回転させ、前記遠心分離を行うため前記第３軸を回転させる、
請求項１から請求項３のいずれか１項に記載の空気清浄装置。
【請求項６】
前記取込部は、プロペラファンを含み、
前記冷却部は、ブレードファンを含み、
前記プロペラファンは、前記第２軸に取り付けられ、かつ、前記第２軸が回転すると回転し、
前記ブレードファンは、前記第１軸に取り付けられ、かつ、前記第１軸が回転すると回転し、
前記プロペラファンの回転は前記気流を発生させ、
前記ブレードファンの回転は前記旋回を発生させる、
請求項５に記載の空気清浄装置。
【請求項７】
空気の湿度を制御し、
前記湿度が制御された空気を取り込む気流を発生させ、これにより、前記湿度が制御された空気を取り込み、
前記取り込んだ空気を一または複数の軸に含まれる第１軸の周りに旋回させ、これにより、前記取り込んだ空気の前記第１軸側の空気と前記取り込んだ空気の前記一または複数の軸の少なくとも一部を取り囲む外壁側の空気との間に圧力差を生じさせ、前記圧力差によって、前記取り込んだ空気の少なくとも一部が冷却され、
前記冷却された空気から生じた水滴を遠心分離し、
前記気流の発生、前記旋回の発生及び前記遠心分離を行うため前記一または複数の軸を回転させる、
空気清浄方法。
【発明の詳細な説明】
【技術分野】
【０００１】
本開示は、空気を清浄する装置に関する。
【背景技術】
【０００２】
従来、空気中から、除去対象とするガスを除去する空気清浄装置が知られている（例えば、特許文献１、特許文献２参照）。
【先行技術文献】
【特許文献】
【０００３】
【特許文献１】特開２００４−６６０９０号公報
【特許文献２】特開２０００−４２３５０号公報
【発明の概要】
【０００４】
従来の空気清浄装置よりも簡便な構成の空気清浄装置が望まれる。
【０００５】
このため、本開示は、従来よりも簡便な構成を実現することができる空気清浄装置を提供することを目的とする。
【０００６】
本開示の一態様に係る空気清浄装置は、空気の湿度を制御する湿度制御部と、一または複数の軸と、前記一または複数の軸の少なくとも一部を取り囲む外壁とを有する取込冷却分離部を含み、前記取込冷却分離部は前記湿度が制御された空気を取り込む気流を発生させ、これにより、前記取込冷却分離部は前記湿度が制御された空気を取り込み、前記取込冷却分離部は前記取り込んだ空気を前記一または複数の軸に含まれる第１軸の周りに旋回させ、これにより、前記取込冷却分離部は前記取り込んだ空気の前記第１軸側の空気と前記取り込んだ空気の前記外壁側の空気との間に圧力差を生じさせ、前記圧力差によって、前記取り込んだ空気の少なくとも一部が冷却され、前記取込冷却分離部は、前記冷却された空気から生じた水滴を遠心分離し、前記気流の発生、前記旋回の発生及び前記遠心分離を行うため前記一または複数の軸を回転させる。
【０００７】
また、本開示の一態様に係る空気清浄方法は、空気の湿度を制御し、前記湿度が制御された空気を取り込む気流を発生させ、これにより、前記湿度が制御された空気を取り込み、前記取り込んだ空気を一または複数の軸に含まれる第１軸の周りに旋回させ、これにより、前記取り込んだ空気の前記第１軸側の空気と前記取り込んだ空気の前記一または複数の軸の少なくとも一部を取り囲む外壁側の空気との間に圧力差を生じさせ、前記圧力差によって、前記取り込んだ空気の少なくとも一部が冷却され、前記冷却された空気から生じた水滴を遠心分離し、前記気流の発生、前記旋回の発生及び前記遠心分離を行うため前記一または複数の軸を回転させる。
【０００８】
本開示の一態様に係る空気清浄装置、及び空気清浄方法によると、従来よりも簡便な構成を実現することができる。
【図面の簡単な説明】
【０００９】
【図１】図１は、実施の形態１に係る空気清浄装置の外観を示す斜視図
【図２】図２は、実施の形態１に係る空気清浄装置の外観を示す側面図
【図３】図３は、実施の形態１に係る空気清浄装置の分解斜視図
【図４】図４は、実施の形態１に係る空気清浄装置の断面図
【図５】図５は、実施の形態１に係る空気清浄装置が行う動作のフローチャート
【図６】図６は、実施の形態２に係る空気清浄装置の側面図
【図７】図７は、実施の形態２に係る湿度制御冷却部の外観を示す斜視図
【図８】図８は、実施の形態２に係る分解部の外観を示す斜視図
【図９】図９は、実施の形態２に係る取込部の外観を示す斜視図
【発明を実施するための形態】
【００１０】
本開示の一態様に係る空気清浄装置は、空気の湿度を制御する湿度制御部と、一または複数の軸と、前記一または複数の軸の少なくとも一部を取り囲む外壁とを有する取込冷却分離部を含み、前記取込冷却分離部は前記湿度が制御された空気を取り込む気流を発生させ、これにより、前記取込冷却分離部は前記湿度が制御された空気を取り込み、前記取込冷却分離部は前記取り込んだ空気を前記一または複数の軸に含まれる第１軸の周りに旋回させ、これにより、前記取込冷却分離部は前記取り込んだ空気の前記第１軸側の空気と前記取り込んだ空気の前記外壁側の空気との間に圧力差を生じさせ、前記圧力差によって、前記取り込んだ空気の少なくとも一部が冷却され、前記取込冷却分離部は、前記冷却された空気から生じた水滴を遠心分離し、前記気流の発生、前記旋回の発生及び前記遠心分離を行うため前記一または複数の軸を回転させる。
【００１１】
上記構成の空気清浄装置によると、除去対象とするガスが水溶性ガスである場合に、空気中に含まれる除去対象とするガスは、冷却によって生じた水滴に溶け込む。そして、除去対象とするガスが溶け込んだ水滴は、空気から分離される。このように、上記構成の空気清浄装置は、空気中から、除去対象とするガスを除去することができる。また、上記構成の空気清浄装置は、従来の空気清浄装置で必要となる、スクラバ装置、活性炭フィルタ、蓄熱層等を必要としない。
【００１２】
従って、上記構成の空気清浄装置によると、従来よりも簡便な構成の空気清浄装置を実現することができる。
【００１３】
また、前記湿度制御部は、所定のガスを検出するガスセンサと、空気の温度及び湿度を検出する温湿度センサと、前記ガスセンサの検出結果と前記温湿度センサの検出結果とに基づいて前記空気を加湿する加湿器とを有するとしてもよい。
【００１４】
これにより、この空気清浄装置は、除去対象とするガスの有無と空気の温度及び湿度とに応じた汚染空気の清浄を行うことができる。
【００１５】
また、前記外壁には、前記遠心分離された水滴を外部に排出するための排出孔が設けられているとしてもよい。
【００１６】
これにより、この空気清浄装置は、除去対象とするガスが溶け込んだ水滴を外部に排出することができる。
【００１７】
また、前記一または複数の軸は前記第１軸であり、前記取込冷却分離部は、プロペラファンとブレードファンを含み、前記プロペラファンは、前記第１軸に取り付けられ、前記第１軸が回転すると回転し、前記ブレードファンは、前記第１軸に取り付けられ、前記第１軸が回転すると回転し、前記プロペラファンの回転は前記気流を発生させ、前記ブレードファンの回転は前記旋回を発生させてもよい。
【００１８】
これにより、この空気清浄装置は、より効率的に汚染空気の清浄を行うことができる。
【００１９】
また、前記一または複数の軸は前記第１軸、第２軸、第３軸を含み、前記取込冷却分離部は、前記第２軸を含み、かつ、前記気流を発生させる取込部と、前記第１軸を含み、かつ、前記旋回を発生させる冷却部と、前記第３軸を含み、かつ、前記遠心分離を行う分離部を含み、前記気流を発生させるため前記第２軸を回転させ、前記旋回を発生させるため前記第１軸を回転させ、前記遠心分離を行うため前記第３軸を回転させてもよい。
【００２０】
これにより、この空気清浄装置によれば、よりメンテナンス性に優れた空気清浄装置を提供することができる。
【００２１】
また、前記取込部は、プロペラファンを含み、前記冷却部は、ブレードファンを含み、前記プロペラファンは、前記第２軸に取り付けられ、かつ、前記第２軸が回転すると回転し、前記ブレードファンは、前記第１軸に取り付けられ、かつ、前記第１軸が回転すると回転し、前記プロペラファンの回転は前記気流を発生させ、前記ブレードファンの回転は前記旋回を発生させてもよい。
【００２２】
これにより、この空気清浄装置は、より効率的に汚染空気の清浄を行うことができる。
【００２３】
本開示の一態様に係る空気清浄方法は、空気の湿度を制御し、前記湿度が制御された空気を取り込む気流を発生させ、これにより、前記湿度が制御された空気を取り込み、前記取り込んだ空気を一または複数の軸に含まれる第１軸の周りに旋回させ、これにより、前記取り込んだ空気の前記第１軸側の空気と前記取り込んだ空気の前記一または複数の軸の少なくとも一部を取り囲む外壁側の空気との間に圧力差を生じさせ、前記圧力差によって、前記取り込んだ空気の少なくとも一部が冷却され、前記冷却された空気から生じた水滴を遠心分離し、前記気流の発生、前記旋回の発生及び前記遠心分離を行うため前記一または複数の軸を回転させる。
【００２４】
上記構成の空気清浄方法によると、除去対象とするガスが水溶性ガスである場合に、空気中に含まれる除去対象とするガスは、冷却によって生じた水滴に溶け込む。そして、除去対処とするガスが溶け込んだ水滴は、空気から分離される。このように、上記空気清浄方法は、空気中から、除去対象とするガスを除去することができる。また、上記空気清浄方法により汚染空気の清浄を行う空気清浄装置は、従来の空気清浄装置で必要となる、スクラバ装置、活性炭フィルタ、蓄熱層等を必要としない。
【００２５】
従って、上記空気清浄方法によると、従来よりも簡便な構成の空気清浄装置を実現することができる。
【００２６】
以下、本開示の一態様に係る空気清浄装置の具体例について、図面を参照しながら説明する。ここで示す実施の形態は、いずれも本開示の一具体例を示すものである。従って、以下の実施の形態で示される数値、形状、構成要素、構成要素の配置及び接続形態、並びに、ステップ（工程）及びステップの順序等は、一例であって本開示を限定するものではない。以下の実施の形態における構成要素のうち、独立請求項に記載されていない構成要素については、任意に付加可能な構成要素である。また、各図は、模式図であり、必ずしも厳密に図示されたものではない。
【００２７】
（実施の形態１）
図１は、実施の形態１に係る空気清浄装置１の外観を示す斜視図であり、図２は、実施の形態１に係る空気清浄装置の外観を示す側面図である。
【００２８】
図１、図２に示すように、空気清浄装置１は、円筒の側面の形状をした外壁２０と、金属メッシュ１４０が装着された、断面が四角形のダクト１５０と、外壁２０と同じ半径で同じ中心線の円筒の側面の形状をした保護壁３１０と、モータを格納するモータ格納容器３０と、ガスセンサ１１０と、温湿度センサ１２０とを含んで構成される。金属メッシュ１４０はダクト１５０の一方の開口面に装着される。
【００２９】
ガスセンサ１１０は、ダクト１５０の側面に配置され、空気清浄装置１の周囲の空気に含まれる、空気清浄の際の除去対象となる所定のガスを検出する。所定のガスは、水溶性のガスであって、例えば、水溶性の硫黄酸化物（ＳＯｘ）、及び/又は、水溶性の窒素酸化物（ＮＯｘ）である。
【００３０】
温湿度センサ１２０は、ダクト１５０の側面に配置され、空気清浄装置１の周囲の空気の温度及び湿度を検出する。
【００３１】
外壁２０には、外壁２０を貫通する複数の排出孔２１が設けられている。排出孔２１は、図１、図２において、排出孔２１Ａ、排出孔２１Ｂである。
【００３２】
図３は、空気清浄装置１の分解斜視図である。
【００３３】
図３に示すように、空気清浄装置は、その内部に、軸１０と、プロペラファン２１０と、第１のブレードファン２２０Ａと、第２のブレードファン２２０Ｂと、加湿器１３０とをさらに含んで構成される。
【００３４】
軸１０は、モータの回転軸の回転と共に回転するように、モータの回転軸に固定された棒状の剛体である。モータはモータ格納容器３０に格納される。モータは図３に図示されていない。モータは図４に示すモータ３１に対応する。軸１０は、その中心線を回転軸として回転する。軸１０は、その中心線が、外壁２０の中心線と一致するように、モータの回転軸に固定される。軸１０は、図３に図示されるように、少なくとも一部が外壁２０により取り囲まれている。
【００３５】
プロペラファン２１０は、軸１０の回転と共に回転するように軸１０に固定される。プロペラファン２１０は、軸１０の中心線を回転軸として、軸１０と一体に回転する。プロペラファン２１０は、回転することで、プロペラファン２１０の回転軸方向の成分を有する気流を生じさせる１以上の羽根を有する。プロペラファン２１０は、保護壁３１０に取り囲まれる位置に、軸１０に固定される。
【００３６】
第１のブレードファン２２０Ａは、軸１０の回転と共に回転するように軸１０に固定される。第１のブレードファン２２０Ａは、軸１０の中心線を回転軸として、軸１０と一体に回転する。第１のブレードファン２２０Ａは、回転することで、回転軸周りに旋回する気流を生じさせる１以上の羽根を有する。第１のブレードファン２２０Ａは、外壁２０により取り囲まれる位置に、軸１０に固定される。
【００３７】
第２のブレードファン２２０Ｂは、軸１０の回転と共に回転するように軸１０に固定される。第２のブレードファン２２０Ｂは、軸１０の中心線を回転軸として、軸１０と一体に回転する。第２のブレードファン２２０Ｂは、回転することで、回転軸周りに旋回する気流を生じさせる１以上の羽根を有する。第２のブレードファン２２０Ｂは、外壁２０により取り囲まれる位置に、軸１０に固定される。
【００３８】
第１のブレードファン２２０Ａの軸体２２１Ａの、回転軸と垂直な断面における半径は、第２のブレードファン２２０Ｂの軸体２２１Ｂの、回転軸と垂直な断面における半径よりも小さい。
【００３９】
軸１０には、ダクト１５０側からモータ格納容器３０側へと順に、第１のブレードファン２２０Ａ、第２のブレードファン２２０Ｂ、及び、プロペラファン２１０が固定される。
【００４０】
加湿器１３０は、ノズル１３１から霧状の水を噴出することでダクト１５０内の空気を加湿する加湿器であって、ダクト１５０内に設置される。加湿器１３０は、ガスセンサ１１０の検出結果と温湿度センサ１２０の検出結果とに基づいて空気を加湿する。加湿器１３０は、例えば、超音波方式のミスト噴霧器であってよい。
【００４１】
図４は、空気清浄装置１の断面図である。図４には、空気清浄装置１の断面図に加えて、空気清浄装置１における空気の流れを示す矢印と、空気中に含まれる塵埃８０と、塵埃８０を核として有核凝縮した水滴９０とを示す模式図が重ねて図示されている。
【００４２】
図４に示されるように、空気清浄装置１は、湿度制御部１００と、取込冷却分離部２００と、軸回転部６００を含む。また、取込冷却分離部２００は、取込部３００と、冷却部４００と、分離部５００を含む。
【００４３】
軸回転部６００は、モータ格納容器３０と、モータ格納容器３０に格納されたモータ３１と、軸１０の一部（軸１０をモータ３１の回転軸に固定するためののりしろ部分）とを含む。軸回転部６００は、モータ３１へその回転軸を回転する指示を行うことで、軸１０を回転させる。
【００４４】
後述するガスセンサ１１０が所定のガスを検出した場合、軸回転部６００は、モータ３１にその回転軸を回転することを指示してもよい。つまり、軸回転部６００は、ガスセンサ１１０からガスセンサ１１０が検出した検出信号を受け取り、当該検出信号が所定値を示す場合に、モータ３１にその回転軸を回転することを指示してもよい。
【００４５】
取込部３００は、保護壁３１０と、プロペラファン２１０と、軸１０の一部とを含む。取込部３００は、軸１０が回転することで、プロペラファン２１０が軸１０と共に回転し、図４中の矢印で示される向きに空気が流れる気流を発生する。
【００４６】
湿度制御部１００は、ダクト１５０と、金属メッシュ１４０と、ガスセンサ１１０と、温湿度センサ１２０と、加湿器１３０とを含む。湿度制御部１００には、取込部３００により発生された気流により、金属メッシュ１４０を通して、外部の空気が流入する。流入する空気には、空気中の塵埃が含まれる。典型的な空気には、直径０．５μｍ〜０．８μｍのサイズの塵埃が、空気１ｃｃ当たり約２０００個程度含まれる。
【００４７】
湿度制御部１００は、湿度制御部１００内の空気の湿度を制御する。すなわち、湿度制御部１００は、加湿器１３０を用いて、ガスセンサ１１０の検出結果と、温湿度センサ１２０の検出結果とに基づいて、湿度制御部１００内の空気を加湿する。より具体的には、湿度制御部１００は、ガスセンサ１１０が所定のガスを検出した場合（例えば、ガスセンサ１１０の検出信号が所定値を示す場合）に限って、湿度制御部１００内の空気が後述の冷却部４００に取り込まれて冷却されるときに、その冷却される空気の水蒸気圧が飽和水蒸気圧以上となるように、湿度制御部１００内の空気を加湿する。
【００４８】
例えば、湿度制御部１００は、ガスセンサ１１０により所定のガスが検出された場合において、温湿度センサ１２０により、空気清浄装置１の周囲の空気の温度が２５℃で相対湿度が５０％であると検出された場合には、湿度制御部１００内の空気の温度が２０℃で相対湿度が１００％となるように加湿する。ここで、空気清浄装置１の周囲の空気の温度よりも、湿度制御部１００内の加湿後の空気の温度の方が低くなるのは、加湿器１３０が加湿する際にノズル１３１から噴出される霧状の水による気化熱冷却により、湿度制御部１００内の空気が冷却されるためである。
【００４９】
冷却部４００は、軸１０の一部と、外壁２０の一部と、第１のブレードファン２２０Ａとを含む。冷却部４００には、取込部３００により発生された気流により、湿度制御部１００から、湿度を制御された空気が流入する。言い換えれば、取込部３００は、軸１０が回転することで、湿度制御部１００により湿度を制御された空気を、冷却部４００に取り込む。冷却部４００は、軸１０が回転することで、第１のブレードファン２２０Ａが軸１０と共に回転し、湿度制御部１００から取り込んだ空気を、軸１０周りに旋回させる。すると、軸１０周りに旋回する空気に遠心力が生じ、軸１０周辺の空気と外壁２０周辺の空気との間に圧力差が生じる。そして、この圧力差に起因して軸１０周辺の空気が断熱膨張し、軸１０周辺の空気が冷却される。すなわち、冷却部４００は、軸１０が回転することで、湿度制御部１００から取り込んだ空気を軸１０周りに旋回させて、取り込んだ空気の軸１０側と外壁２０側との間に圧力差を生じさせることで、取り込んだ空気の少なくとも一部を冷却する。
【００５０】
例えば、冷却部４００は、湿度制御部１００から、温度が２０℃で相対湿度が１００％に制御された空気を取り込んだ場合に、取り込んだ空気のうちの軸１０周辺の空気を、１９℃に冷却する。
【００５１】
冷却された空気は、水蒸気圧が飽和水蒸気圧以上となる。このため、冷却された空気には、冷却された空気に含まれる塵埃８０を核として水滴９０が発生し、発生した水滴９０は、塵埃８０を核とする有核凝縮により成長する。そして、成長した水滴９０に、水溶性の所定のガスが溶け込む。例えば、水滴９０は、有核凝縮により、約５ｍｓｅｃの期間で直径数μｍ程度に成長する。
【００５２】
分離部５００は、軸１０の一部と、外壁２０の一部であって、排出孔２１が設けられている部分を含む外壁２０の一部と、第２のブレードファン２２０Ｂとを含む。分離部５００には、取込部３００により発生された気流により、冷却部４００から、所定のガスが溶け込んだ水滴９０を含む空気が流入する。分離部５００は、軸１０が回転することで、第２のブレードファン２２０Ｂが軸１０と共に回転し、冷却部４００から流入した空気を、軸１０周りに旋回させる。すると、軸１０周りに旋回する空気に遠心力が生じ、遠心力により、水滴９０を含む空気から水滴９０が遠心分離される。遠心分離された水滴９０は、外壁２０に衝突し、取込部３００により発生された気流により外壁２０に沿って移動し、外壁２０に設けられた排出孔２１から、空気清浄装置１の外部へと排出される。このように、分離部５００は、水滴９０に溶け込んだ所定のガスと、その有核凝縮の核となった塵埃８０とを、水滴９０と共に空気清浄装置１の外部へと排出する。
【００５３】
以下、空気清浄装置１が空気を清浄する際に行う動作について、フローチャートを参照しながら説明する。
【００５４】
図５は、空気清浄装置１が行う動作のフローチャートである。
【００５５】
湿度制御部１００は、ガスセンサ１１０が水溶性の所定のガスを検出すると、温湿度センサ１２０により検出された空気清浄装置１の周囲の空気の温度及び湿度に基づいて、空気清浄装置１の外部から流入した空気の湿度を制御する（ステップＳ１０）。この際、湿度制御部１００は、湿度制御部１００内の空気が冷却部４００に取り込まれて冷却される場合に、その冷却される空気の水蒸気圧が飽和水蒸気圧以上となるように、空気の湿度を制御する。
【００５６】
取込部３００は、軸１０が回転することで気流を発生させて、湿度制御部１００により湿度を制御された空気を冷却部４００に取り込む（ステップＳ２０）。
【００５７】
冷却部４００は、取り込んだ空気を、軸１０が回転することで軸１０周りに旋回させて、取り込んだ空気の軸１０側の空気と前記取り込んだ空気の外壁２０側の空気との間に圧力差を生じさせる。前記圧力差によって、取り込んだ空気の少なくとも一部を断熱膨張させて冷却する（ステップＳ３０）。すると、冷却された空気は、水蒸気圧が飽和水蒸気圧以上となり、冷却された空気に、塵埃８０を核とする水滴９０が発生する。この際、水滴９０に、水溶性の所定のガスが溶け込む。そして、所定のガスが溶け込んだ水滴９０を含む空気は、取込部３００により発生された気流により、分離部５００へ流入する。
【００５８】
分離部５００は、冷却部４００から流入した水滴９０を含む空気を、軸１０が回転することで軸１０周りに旋回させて、流入した水滴９０を含む空気から水滴９０を分離する（ステップＳ４０）。水滴９０には所定のガスが溶け込んでいる。そして、分離された水滴９０が、排出孔２１から空気清浄装置１の外部へと排出される。
【００５９】
上述した通り、空気清浄装置１は、空気中から、除去対象とする水溶性のガスを除去することができる。また、空気清浄装置１は、従来の空気清浄装置で必要となる、スクラバ装置、活性炭フィルタ、蓄熱層等を必要としない。
【００６０】
従って、上記構成の空気清浄装置１によると、従来よりも簡便な構成の空気清浄装置を実現することができる。
【００６１】
（実施の形態２）
ここでは、実施の形態１に係る空気清浄装置１から、その構成の一部が変更された実施の形態２に係る空気清浄装置１Ａについて説明する。以下では、空気清浄装置１と同様の構成要素については、既に説明済みであるとして同じ符号を振ってその詳細な説明を省略し、空気清浄装置１との相違点を中心に説明する。
【００６２】
図６は、空気清浄装置１Ａの側面図である。
【００６３】
図６に示されるように、空気清浄装置１Ａは、湿度制御部１００と、冷却部４００Ａと、軸回転部６００Ａと、分離部５００Ａと、軸回転部６００Ｂと、取込部３００Ａと、軸回転部６００とを備える。
【００６４】
冷却部４００Ａは、実施の形態１に係る冷却部４００から、外壁２０が外壁２０Ａに変更され、軸１０が軸Ａ（図示されず）に変更されて構成される。
【００６５】
外壁２０Ａは、その長さが、外壁２０の長さより短くなっている点、及び、排出孔２１が設けられていない点を除いて、外壁２０と同様の外壁である。より具体的には、外壁２０Ａは、外壁２０から、実施の形態１に係る冷却部４００に含まれる部分を除いた部分が削除された外壁である。
【００６６】
軸Ａは、その長さが、軸１０から短くなっている点、及び、後述する軸回転部６００Ａに格納されるモータＡ（図示されず）の回転軸の回転と共に回転するように、モータＡの回転軸に固定されている点を除いて、軸１０と同様の軸である。より具体的には、軸Ａは、軸１０から、実施の形態１に係る冷却部４００に含まれる部分と、軸ＡをモータＡの回転軸に固定するためののりしろ部分（以下、「第１のりしろ部分」とも称する。）とを除いた部分が削除された軸である。ガスセンサ１１０が所定のガスを検出した場合、軸回転部６００Ａは、モータＡにその回転軸を回転することを指示してもよい。
【００６７】
上記構成の冷却部４００Ａは、軸Ａが回転することで、実施の形態１に係る冷却部４００と同様の動作を行う。
【００６８】
冷却部４００Ａは、湿度制御部１００と共に、湿度制御冷却部７００を構成する。
【００６９】
図７に、湿度制御冷却部７００の外観を示す斜視図を示す。
【００７０】
軸回転部６００Ａは、断面が円の筒型ダクト１５０Ａと、モータＡと、軸Ａの第１のりしろ部分とを含む。
【００７１】
筒型ダクト１５０Ａの中心線は、外壁２０Ａの中心線と一致し、筒型ダクト１５０Ａの断面の円は、外壁２０Ａの断面の円と一致する。
【００７２】
モータＡは、筒型ダクト１５０Ａに格納され、その回転軸に軸Ａを固定する。
【００７３】
軸回転部６００Ａは、モータＡへその回転軸を回転する指示を行うことで、軸Ａを回転させる。
【００７４】
分離部５００Ａは、実施の形態１に係る分離部５００から、外壁２０が外壁２０Ｂに変更され、軸１０が軸Ｂ（図示されず）に変更されて構成される。
【００７５】
外壁２０Ｂは、その長さが外壁２０から短くなっている点を除いて、外壁２０と同様の外壁である。より具体的には、外壁２０Ｂは、外壁２０から、実施の形態１に係る分離部に含まれる部分を除いた部分が削除された外壁である。
【００７６】
軸Ｂは、その長さが、軸１０から短くなっている点、及び、後述する軸回転部６００Ｂに格納されるモータＢ（図示されず）の回転軸の回転と共に回転するように、モータＢの回転軸に固定されている点を除いて、軸１０と同様の軸である。より具体的には、軸Ｂは、軸１０から、実施の形態１に係る分離部５００に含まれる部分と、軸ＢをモータＢの回転軸に固定するためののりしろ部分（以下、「第２のりしろ部分」とも称する。）とを除いた部分が削除された軸である。ガスセンサ１１０が所定のガスを検出した場合、軸回転部６００Ｂは、モータＢにその回転軸を回転することを指示してもよい。
【００７７】
上記構成の分離部５００Ａは、軸Ｂが回転することで、実施の形態１に係る分離部５００と同様の動作を行う。
【００７８】
図８に、分離部５００Ａの外観を示す斜視図を示す。
【００７９】
軸回転部６００Ｂは、断面が円の筒型ダクト１５０Ｂと、とモータＢと、軸Ｂの第２のりしろ部分とを含む。
【００８０】
筒型ダクト１５０Ｂの中心線は、外壁２０Ｂの中心線と一致し、筒型ダクト１５０Ｂの断面の円は、外壁２０Ｂの断面の円と一致する。
【００８１】
モータＢは、筒型ダクト１５０Ｂに格納され、その回転軸に軸Ｂを固定する。
【００８２】
軸回転部６００Ｂは、モータＢへその回転軸を回転する指示を行うことで、軸Ｂを回転させる。
【００８３】
取込部３００Ａは、実施の形態１に係る取込部３００から、軸１０が軸Ｃ（図示されず）に変更されて構成される。
【００８４】
軸Ｃは、その長さが、軸１０から短くなっている点を除いて、軸１０と同様の軸である。より具体的には、軸Ｃは、軸１０から、実施の形態１に係る取込部３００に含まれる部分と、軸Ｃをモータ３１の回転軸に固定するためののりしろ部分とを除いた部分が削除された軸である。
【００８５】
上記構成の取込部３００Ａは、軸Ｃが回転することで、実施の形態１に係る取込部３００と同様の動作を行う。
【００８６】
図９に、取込部３００Ａの外観を示す斜視図を示す。
【００８７】
上述したように、空気清浄装置１Ａは、湿度制御部１００と、実施の形態１に係る冷却部４００と同様の動作を行う冷却部４００Ａと、実施の形態１に係る分離部５００と同様の動作を行う分離部５００Ａと、実施の形態１に係る取込部３００と同様の動作を行う取込部３００Ａとを含んで構成される。このため、空気清浄装置１Ａは、実施の形態１に係る空気清浄装置１の行う動作と同様の動作を行うことができる。
【００８８】
また、空気清浄装置１Ａは、軸Ａと軸Ｂと軸Ｃとが互いに独立し、外壁２０Ａと外壁２０Ｂとが互いに独立している。このため、空気清浄装置１Ａは、分解、組み立てを伴うメンテナンスを行う際のメンテナンス性に優れている。
【００８９】
（他の実施の形態）
以上のように、本出願において開示する技術の例示として、実施の形態１、実施の形態２について説明した。しかしながら、本開示による技術は、これらに限定されず、本開示の趣旨を逸脱しない限り、適宜、変更、置き換え、付加、省略等を行った実施の形態にも適用可能である。
【００９０】
以下に、本開示における変形例の一例について列記する。
【００９１】
（１）実施の形態１において、取込冷却分離部２００は、取込部３００と、冷却部４００と、分離部５００との３つのブロックからなる構成であるとして説明した。しかしながら、取込冷却分離部２００は、必ずしも、これら３つのブロックからなる構成である例に限定されない。一例として、取込冷却分離部２００は、冷却部４００が行う動作と分離部５００が行う動作との双方の動作を行う冷却分離部と、取込部３００とからなる構成であってもよい。この場合には、冷却分離部は、第１のブレードファン２２０Ａと第２のブレードファン２２０Ｂとの代わりに、ステップＳ３０の動作とステップＳ４０の動作との双方を実現するための１つのブレードファンを含むとしてもよい。
【００９２】
また、別の一例として、取込冷却分離部２００は、取込部３００が行う動作と冷却部４００が行う動作との双方の動作を行う取込冷却部と、分離部５００とからなる構成であってもよい。この場合には、取込冷却部は、プロペラファン２１０と第１のブレードファン２２０Ａとの代わりに、ステップＳ２０の動作とステップＳ３０の動作との双方を実現するための１つのブレードファンを含むとしてもよい。
【００９３】
また、別の一例として、取込冷却分離部２００は、取込部３００が行う動作と分離部５００が行う動作との双方の動作を行う取込分離部と、冷却部４００とからなる構成であってもよい。この場合には、取込分離部は、プロペラファン２１０と第２のブレードファン２２０Ｂとの代わりに、ステップＳ２０の動作とステップＳ４０の動作との双方を実現するための１つのブレードファンを含むとしてもよい。
【００９４】
また、別の一例として、取込冷却分離部２００は、１つのブロックとして、取込部３００が行う動作と、冷却部４００が行う動作と、分離部５００が行う動作とを行うとしてもよい。この場合には、取込冷却分離部２００は、プロペラファン２１０と第１のブレードファン２２０Ａと第２のブレードファン２２０Ｂとの代わりに、ステップＳ２０の動作とステップＳ３０の動作とステップＳ４０の動作との３つの動作を実現するための１つのブレードファンを含むとしてもよい。
【００９５】
（２）実施の形態１において、冷却部４００は、第１のブレードファン２２０Ａを含む構成であるとして説明した。しかしながら、冷却部４００は、湿度制御部１００から取り込んだ空気を軸１０周りに旋回させることができれば、必ずしも第１のブレードファン２２０Ａを含む構成に限定されない。例えば、冷却部４００は、第１のブレードファン２２０Ａを含まない構成であって、軸１０と空気との粘性により、湿度制御部１００から取り込んだ空気を軸１０周りに旋回させる構成であってもよい。
【００９６】
（３）実施の形態１において、分離部５００は、第２のブレードファン２２０Ｂを含む構成であるとして説明した。しかしながら、分離部５００は、冷却部４００から流入した空気を軸１０周りに旋回させることができれば、必ずしも第２のブレードファン２２０Ｂを含む構成に限定されない。例えば、分離部５００は、第２のブレードファン２２０Ｂを含まない構成であって、軸１０と空気との粘性により、冷却部４００から流入した空気を軸１０周りに旋回させる構成であってもよい。
【００９７】
（４）本開示において、ユニット、装置、デバイスのそれぞれの全部又は一部の機能及び／又は操作及び／又は制御は、半導体装置、半導体集積回路（ＩＣ）、又はＬＳＩ（large scale integration）を含む一つ又は一つ以上の電子回路によって実行されてもよい。ＬＳＩ又はＩＣは、一つのチップに集積されてもよいし、複数のチップを組み合わせて構成されてもよい。例えば、記憶素子以外の機能ブロックは、一つのチップに集積されてもよい。ここでは、ＬＳＩやＩＣと呼んでいるが、集積の度合いによって呼び方が変わり、システムＬＳＩ、ＶＬＳＩ(very large scale integration)、若しくはＵＬＳＩ(ultra large scale integration) と呼ばれるかもしれない。ＬＳＩの製造後にプログラムされる、Field Programmable Gate Array (FPGA)、又はＬＳＩ内部の接合関係の再構成又はＬＳＩ内部の回路区画のセットアップができるreconfigurable logicdeviceも同じ目的で使うことができる。
【００９８】
（５）本開示において、ユニット、装置、デバイスのそれぞれの全部又は一部の機能及び／又は操作及び／又は制御は、ソフトウエア処理によって実行することが可能である。この場合、ソフトウエアは一つ又は一つ以上のＲＯＭ、光学ディスク、ハードディスクドライブ、などの非一時的記録媒体に記録され、ソフトウエアが、処理装置（processor）によって実行された場合に、ソフトウエアは、ソフトウエア内の特定の機能を、処理装置（processor）と周辺のデバイスに実行させる。システム又は装置は、ソフトウエアが記録されている一つ又は一つ以上の非一時的記録媒体、処理装置（processor）、及び必要とされるハードウエアデバイス、例えばインターフェース、を備えていても良い。
【産業上の利用可能性】
【００９９】
本開示は、空気を清浄する装置に広く利用可能である。
【符号の説明】
【０１００】
１、１Ａ  空気清浄装置
１０  軸
２０、２０Ａ、２０Ｂ  外壁
２１、２１Ａ、２１Ｂ、２１Ｃ、２１Ｄ  排出孔
３０  モータ格納容器
３１  モータ
１００  湿度制御部
１１０  ガスセンサ
１２０  温湿度センサ
１３０  加湿器
１４０  金属メッシュ
１５０  ダクト
２００  取込冷却分離部
２１０  プロペラファン
２２０Ａ  第１のブレードファン
２２０Ｂ  第２のブレードファン
３００、３００Ａ  取込部
４００、４００Ａ  冷却部
５００、５００Ａ  分離部
【図１】
2020121703.tif 000003
【図２】
2020121703.tif 000004
【図３】
2020121703.tif 000005
【図４】
2020121703.tif 000006
【図５】
2020121703.tif 000007
【図６】
2020121703.tif 000008
【図７】
2020121703.tif 000009
【図８】
2020121703.tif 000010
【図９】
2020121703.tif 000011
【国際調査報告】
2020121703.tif 000012
2020121703.tif 000013
2020121703.tif 000014
2020121703.tif 000015